【手続補正書】
【提出日】平成22年9月9日(2010.9.9)
【手続補正１】
【補正対象書類名】明細書
【補正対象項目名】００２９
【補正方法】変更
【補正の内容】
【００２９】
図２は、無線システムにおけるリソース割当て不整合からの回復を促進する例示的システムのブロック図を示す。アクセス端末（ＡＴ）２２０がサービングアクセスポイント（ＡＰ）２５０と通信し、このアクセスポイント２５０は、順方向リンク（ＦＬ）２６５を介してＡＴ２２０にデータおよび制御のコードシンボルを送信し、逆方向リンク（ＲＬ）２４５を通じてデータおよび制御を受信する。特に、サービングＡＰ２５０は、リソース割当てを端末２２０に通信する。かかるリソース割当てにより、通信リソース、たとえば電力レベルおよび／または電力スペクトル密度、パケットフォーマット、帯域幅、周波数繰り返しパターンまたはインデックス、副搬送波割当て、副搬送波間隔などに関する情報が伝達され、ＡＴ２２０はこの情報を用いてＡＰ２５０と通信を行う。リソース割当ては、スケジューラ２５４によって管理され、このスケジューラ２５４は、ＱｏＳ；ビット当たりのエネルギー；サービングセル内のトラヒック負荷；セル内の信号対雑音比（ＳＮＲ）および信号対雑音干渉比（ＳＩＮＲ）；その他に関するプロバイダ目標基準（provider target standards）に基づいて割当てを決定する。スケジューリング判定を行うために、スケジューラ２５４は、スケジューラ２５４が採用したスケジューリングアルゴリズム（たとえばラウンドロビン、フェアキューイング（fair queuing）、最大スループット、プロポーショナルフェアネス（proportional fairness）など）の一部を実行するプロセッサ２５８に結合される。メモリ２６２は、スケジューリングアルゴリズム、スケジューリング割当て、およびスケジューラの動作に関連する他のデータを格納する。
【手続補正２】
【補正対象書類名】明細書
【補正対象項目名】００３０
【補正方法】変更
【補正の内容】
【００３０】
加えて、スケジューラ２５４は、リソースの（再）割当てを発行するために、ＡＴ２２０からＲＬ２４５を介して受信されたフィードバック情報を使用する。一態様において、フィードバック情報は、割当てられたリソース（たとえば電力、または電力スペクトル密度）に関連するオフセット値（Δ）を含む。このΔを、スケジューラ２５４によって使用して、リソースレベルを調整しかかるΔに従ってリソースを再割当てする。かかる一態様では、ＡＰ２２０が、メモリ２６２に格納されたアルゴリズムにアクセスし、このアルゴリズムがプロセッサ２５８によって実行されて、再割当てされるリソースのレベルが再計算される。かかる再割当ては、他セクタのアクセス端末（図示せず）上のＡＴ２２０によって引き起こされる干渉を軽減するために使用できるものと理解されたい。すなわちＡＰ２５０が、Δ値を受信することに応答してより低い動作電力をＡＴ２２０に再割当てするとき、干渉を軽減することができる。さらに、リソース再割当ては、アクセスポイントの通信を、チャネル条件または端末能力ならびに上述した他の制約に適合する通信に変更するために実施することができる。
【手続補正３】
【補正対象書類名】明細書
【補正対象項目名】００５０
【補正方法】変更
【補正の内容】
【００５０】
図８は、無線通信システムにおける通信不整合に応答するための方法８００の流れ図である。動作８１０において、通信リソース割当てが受信される。一態様では、アクセスポイント（たとえばＡＰ２５０）が、通信用の移動体（たとえば２２０）に、リソースのセット（たとえば電力、ＰＳＤ、帯域幅、副搬送波、アンテナ選択、繰り返し周波数パターンなど）をスケジューリングする。動作８２０は、複数の条件（たとえば、他セクタの干渉レベル、データピークレート、指定パケットフォーマットでの成功した通信など）を満たすのに必要なリソースの設定点予測を用いて、リソース割当てが不整合を示すかどうか検査する確認動作である。態様において、かかる設定点は、本明細書で前述した手法７００を用いて判定される。不整合がない場合、動作８３０において、通信が維持し続けられる。他の一態様では、かかる通信を３Ｇ  ＵＭＢ無線システムで行う。この３Ｇ  ＵＭＢ無線システムは、数ある特徴の中でも特に、柔軟な帯域幅使用（たとえば１．２５ＭＨｚから最大２０ＭＨｚまでのＢＷを利用できる）、低い待ち時間（たとえば約１６ｍｓ以下）、ＭＩＭＯモードでの動作（図１０および１１を参照）などの特徴を示すパケット交換無線通信プロトコルである。
【手続補正４】
【補正対象書類名】明細書
【補正対象項目名】００５２
【補正方法】変更
【補正の内容】
【００５２】
図９は、無線通信システムにおける割当て不整合を判定した端末からリソースの代替のセットを受信することに応答して通信リソースをスケジューリング／再スケジューリングするための方法９００の流れ図である。動作９１０において、通信リソースの第１のセットがスケジューリングされる。一態様では、このリソースのセットは、このリソースをスケジューリングしているアクセスポイント（たとえばＡＰ２５０）と通信する端末（たとえば移動体２２０）に対してスケジューリングされる。９２０において、リソースの第２のセットが、リソースの第１のセットに応答して受信される。この態様の他の一局面において、かかる第２のセットは、スケジューリングＡＰと通信している端末であって、スケジュール対象のリソースの第１のセット（動作９１０）が、端末によって確定されたリソース予測と不整合になっている（図４Ａ、４Ｂおよび４Ｃならびに手法７００を参照）と判定した端末から発生する。動作９３０において、リソースの第１のセットを受信された代替のセットに鑑みて再スケジューリングすべきかどうかについて判定がなされる。この態様のさらに他の一局面において、リソースの第１のセットを再スケジューリングすることにより、ステップ９２０を引き起こし得た不整合からの回復をもたらす（８００も参照）。リソースを再スケジューリングしないと判定された場合、動作９４０において伝送が中止され、そうでない場合、９５０においてリソースの第１のセットが再スケジューリングされる。
【手続補正５】
【補正対象書類名】明細書
【補正対象項目名】００５３
【補正方法】変更
【補正の内容】
【００５３】
図１０は、本明細書で述べられる１つまたは複数の態様による無線通信環境におけるセル／セクタ通信を提供できる多入力多出力（ＭＩＭＯ）システムの送信機システム１０１０（たとえば基地局１１０）および受信機システム１０５０（たとえばアクセス端末２２０）の実施形態のブロック図１０００である。送信機システム１０１０では、多数のデータの流れに関するトラヒックデータが、データソース１０１２から送信（ＴＸ）データプロセッサ１０１４に提供される。一実施形態において、各々のデータの流れは、それぞれの送信アンテナを通じて伝送される。ＴＸデータプロセッサ１０１４は、各々のデータの流れが符号化データを提供するように選択される特定のコーディング方式に基づいて、当該のデータの流れに関するトラヒックデータをフォーマット、符号化およびインタリーブする。各々のデータの流れに関する符号化データは、ＯＦＤＭ技法を用いてパイロットデータで多重化される。このパイロットデータは通常、知られているやり方で処理され、受信機システムにおいてチャネル応答を推定するのに使用される、知られているデータパターンである。多重化されたパイロットデータおよび各々のデータの流れに関する符号化データは、次いで、当該のデータの流れが変調シンボルを提供するように選択される特定の変調スキーム（たとえばＢＰＳＫ、ＱＰＳＫ、Ｍ−ＰＳＫまたはＭ−ＱＡＭ）に基づいて変調される（たとえば、シンボルマッピングされる）。各々のデータの流れに関するデータレート、コーディングおよび変調は、プロセッサ１０３０によって実行される命令によって決定され、データのみならずこの命令も、メモリ１０３２内に格納される。加えて、本発明の一態様によれば、送信機は、リソース不整合に応答して受信機から受信されたフィードバックによって変調方式を切り換えることができる。